(57)【要約】【課題】上下ならびに水平方向に位置移動自在な穀粒搬出筒を、水平位置よりも下方側にも操作可能であるようにするとともに、その操作構造の簡素化を図る。【解決手段】穀粒搬出筒７０の上下方向における揺動範囲を、穀粒搬出筒７０の筒軸心が水平よりも下向きである姿勢から上向きである姿勢にわたって姿勢変更可能で、かつ、穀粒搬出筒７０の水平方向における回動範囲を、自走機体上の領域を含む回動角度範囲に設定してあり、穀粒搬出筒７０の上下軸心周りでの水平方向における回動範囲のうち、自走機体１上の領域に相当する回動角度範囲には、穀粒搬出筒７０が自走機体１の上方を移動するに伴って下向き姿勢にある穀粒搬出筒７０を上方側へ持ち上げ案内するガイド体４５を備えた。【選択図】図１２
2010051287.tif 000002
【特許請求の範囲】
【請求項１】
自走機体の後方側にグレンタンクを備えるとともに、そのグレンタンクの下端側から取り出された穀粒を上方側へ揚送する縦送り筒を設け、この縦送り筒の上端側に、その縦送り筒の上下軸心周りで水平方向に回動自在に、かつ、縦送り筒の上端近くの水平軸心周りで上下方向に揺動自在に構成された穀粒搬出筒を設けたコンバインであって、
前記穀粒搬出筒の前記水平軸心周りでの上下方向における揺動範囲を、穀粒搬出筒の筒軸心が水平よりも下向きである姿勢から上向きである姿勢にわたって姿勢変更可能で、かつ、前記穀粒搬出筒の前記上下軸心周りでの水平方向における回動範囲を、自走機体上の領域を含む回動角度範囲に設定してあり、
さらに、前記穀粒搬出筒の前記上下軸心周りでの水平方向における回動範囲のうち、前記自走機体上の領域に相当する回動角度範囲には、前記穀粒搬出筒が自走機体の上方を移動するに伴って前記下向き姿勢にある穀粒搬出筒を上方側へ持ち上げ案内するガイド体を備えたことを特徴とするコンバイン。
【請求項２】
自走機体の前部に搭乗運転部を配設してあり、この搭乗運転部が穀粒搬出筒の水平方向における回動範囲内に含まれている請求項１記載のコンバイン。
【請求項３】
穀粒搬出筒の上下方向での揺動範囲は、その下限側の高さを変更可能に構成されている請求項１又は２記載のコンバイン。
【請求項４】
縦送り筒の上下軸心周りでの穀粒搬出筒の水平方向における回動範囲は、前記搭乗運転部の存在領域を含む自走機体上の位置と、その搭乗運転部が位置する側の自走機体の横外方領域とを含む２／３周程度である請求項２又は３記載のコンバイン。
【請求項５】
ガイド体は、穀粒搬出筒の回動中心と吐出口部との間で、その穀粒搬出筒の長手方向における回動中心側寄りの位置を案内するように、縦送り筒近くの自走機体上に設けてある請求項１〜４の何れか１項記載のコンバイン。
【請求項６】
ガイド体は、グレンタンクの前部側の天井部よりも低く形成された後部側の天井部に設けてある請求項１〜５の何れか１項記載のコンバイン。
【請求項７】
ガイド体は、グレンタンクの上部に形成されたメンテナンス用開口を閉塞する蓋体の上面側に設けてある請求項１〜６の何れか１項記載のコンバイン。
【請求項８】
ガイド体は、穀粒搬出筒の水平方向での回動範囲内における自走機体上の領域に設けられたプレクリーナよりも上方側に穀粒搬出筒を案内するようにガイド範囲を設定してある請求項１〜７の何れか１項記載のコンバイン。
【請求項９】
搭乗運転部の運転座席を、エンジンを覆う原動部カバーの上側に配置し、前記原動部カバー内に供給する外気を導入するための吸気ダクトを前記運転座席よりも機体外端側箇所に設け、その吸気ダクトの上面側に、穀粒搬出筒の水平方向回動ならびに上下方向揺動を行うためのスイッチ操作具を設けてある請求項２〜８の何れか１項記載のコンバイン。
【請求項１０】
スイッチ操作具は、穀粒搬出筒の水平方向回動操作を２位置の択一的な揺動切換で行うシーソースイッチと、穀粒搬出筒の上下方向揺動操作を２位置の択一的な揺動切換で行うシーソースイッチとの組み合わせで構成してある請求項９記載のコンバイン。
【請求項１１】
グレンタンク内に貯留されている穀粒を搬出するための穀粒搬出用クラッチの操作具を、運転座席よりも機体外側寄り箇所に設けてある請求項２〜１０の何れか１項記載のコンバイン。
【請求項１２】
グレンタンク内に設けた底スクリューと、縦送り筒内に設けた縦スクリューと、穀粒搬出筒内の搬送スクリューとを、それぞれのスクリューを内装するスクリュー筒の外側で連動する連動機構を設けてある請求項１〜１１の何れか１項記載のコンバイン。
【請求項１３】
底スクリューと縦スクリューとを連動する連動機構はベルト伝動機構により構成されている請求項１２記載のコンバイン。
【請求項１４】
グレンタンクを上下向き軸心周りで機体外側に回動操作可能に構成してある請求項１〜１３の何れか１項記載のコンバイン。
【発明の詳細な説明】
【技術分野】
【０００１】
本発明は、自走機体の後方側における横一側部にグレンタンクを備え、そのグレンタンクの下端側から取り出された穀粒を上方側へ揚送して、かつ上下ならびに水平方向に位置移動自在な穀粒搬出筒の先端から排出するように構成してあるコンバインに関する。
【背景技術】
【０００２】
上記のようにグレンタンク内の穀粒を穀粒搬出筒の先端から排出する構造のコンバインにおいては、一般に穀粒搬出筒が水平位置よりも上方側で上下動、及び水平回動するように構成されているものが一般的であるが、これでは地面上で籾袋に穀粒を詰め込むような作業を行う場合に不便であるため、下記［１］に示すような構造のコンバインも提案されている。
［１］  穀粒搬出筒が自走機体の上方に位置する状態ではないことを検出する水平位置検出手段を設け、穀粒搬出筒が自走機体に上方から外れた位置に存在する範囲では、穀粒搬出筒の先端側を地面近傍まで下降可能であるように、穀粒搬出筒の昇降用シリンダの作動範囲の下限位置を変更するように構成したもの（特許文献１参照）。
【０００３】
【特許文献１】特開平１１−２６６６８３号公報（段落〔００１６〕、〔００１７〕、図１，３）
【発明の開示】
【発明が解決しようとする課題】
【０００４】
上記［１］に記載の従来構造のものでは、穀粒搬出筒の水平方向での回動角度と上下方向での揺動角度とを検出する角度センサーを設けて、かつ、その検出値に基づいて穀粒搬出筒を昇降操作する昇降用シリンダーの作動を制御しているものであるから、運搬車の荷台に穀粒を積み込む場合や、地面上で籾袋に穀粒を詰める場合などの使用状況に応じて、穀粒搬出筒の昇降作動位置を、前記水平位置よりも上方側に制限されることなく変更可能である点で有用なものである。
しかしながらこの従来構造のものでは、前述した穀粒搬出筒の水平方向での回動角度と上下方向での揺動角度とをそれぞれ検出する角度センサーを要し、かつ、その角度センサーの検出値に基づいて穀粒搬出筒を精度良く作動させるためのアクチュエータ、並びに、それらのアクチュエータを前記角度センサーによる検出値に基づいて、作動を制限する状態と制限しない状態とに切り換えて操作するための制御装置や、制限状態を示す表示手段等を必要とするものであり、比較的複雑な構成を有するものであった。
【０００５】
本発明の目的は、上下ならびに水平方向に位置移動自在な穀粒搬出筒を、水平位置よりも下方側にも操作可能であるようにするとともに、その操作構造の簡素化を図り得たコンバインを提供することにある。
【課題を解決するための手段】
【０００６】
〔解決手段１〕
上記課題を解決するために講じた本発明の技術手段は、請求項１に記載のように、自走機体の後方側にグレンタンクを備えるとともに、そのグレンタンクの下端側から取り出された穀粒を上方側へ揚送する縦送り筒を設け、この縦送り筒の上端側に、その縦送り筒の上下軸心周りで水平方向に回動自在に、かつ、縦送り筒の上端近くの水平軸心周りで上下方向に揺動自在に構成された穀粒搬出筒を設けたコンバインであって、
前記穀粒搬出筒の前記水平軸心周りでの上下方向における揺動範囲を、穀粒搬出筒の筒軸心が水平よりも下向きである姿勢から上向きである姿勢にわたって姿勢変更可能で、かつ、前記穀粒搬出筒の前記上下軸心周りでの水平方向における回動範囲を、自走機体上の領域を含む回動角度範囲に設定してあり、
さらに、前記穀粒搬出筒の前記上下軸心周りでの水平方向における回動範囲のうち、前記自走機体上の領域に相当する回動角度範囲には、前記穀粒搬出筒が自走機体の上方を移動するに伴って前記下向き姿勢にある穀粒搬出筒を上方側へ持ち上げ案内するガイド体を備えたことを特徴とする。
【０００７】
〔作用及び効果〕
上記のように、解決手段１にかかる本発明のコンバインでは、水平方向における回動範囲を自走機体上の領域を含む回動角度範囲に設定してある穀粒搬出筒の上下方向における揺動範囲を、穀粒搬出筒の筒軸心が水平よりも下向きである姿勢から上向きである姿勢にわたって姿勢変更可能に構成したものであるから、穀粒搬出筒が水平よりも下向きとなる姿勢にして、地上などの低い位置での袋詰め作業を行い易くし得たものである。
そして、このように穀粒搬出筒を下向きにして低位置での作業を行い易くしたものでありながら、前記自走機体上の領域に相当する回動角度範囲に、穀粒搬出筒が自走機体の上方を移動するに伴って下向き姿勢にある穀粒搬出筒を上方側へ持ち上げ案内するガイド体を備えたものであるから、穀粒搬出筒が自走機体上の領域に達すると、その穀粒搬出筒をガイド体の案内作用によって上方側へ持ち上げ案内し、自走機体との衝突を回避することができる。
また、このように水平回動する穀粒搬出筒を上方側へ持ち上げ操作するための構成を、ガイド体の利用によって機械的に行わせるようにしたので、複雑な位置検出機構や制御装置を要さず、その構成の簡素化を達成できたものである。
【０００８】
〔解決手段２〕
本発明のコンバインにおける第２の解決手段は、請求項２の記載のように、自走機体の前部に搭乗運転部を配設してあり、この搭乗運転部が穀粒搬出筒の水平方向における回動範囲内に含まれていることを特徴とする。
【０００９】
〔作用及び効果〕
上記のように、解決手段２にかかる本発明のコンバインでは、前記解決手段１にかかる発明と同等な作用効果の他に、次の作用効果をも奏する。
すなわち、自走機体の前部に配設した搭乗運転部が穀粒搬出筒の水平方向における回動範囲内に含まれているので、自走機体上で比較的高く位置する搭乗運転部を確実に回避して穀粒搬出筒を水平方向に回動操作することができる。
【００１０】
〔解決手段３〕
本発明のコンバインにおける第３の解決手段は、請求項３の記載のように、穀粒搬出筒の上下方向での揺動範囲が、その下限側の高さを変更可能に構成されていることである。
【００１１】
〔作用及び効果〕
上記のように、解決手段３にかかる本発明のコンバインでは、前記解決手段１又は２にかかる発明と同等な作用効果の他に、次の作用効果をも奏する。
すなわち、解決手段３にかかる本発明のコンバインでは、穀粒搬出筒の上下方向での揺動範囲の下限側の高さを変更可能に構成してあるので、例えば下限側の高さを、穀粒搬出筒の筒軸心が水平よりも下向きである状態で使用できるようにして、地面上で袋詰めする作業とか、下限の高さが水平よりも上方に位置する状態にして、運搬車の荷台上に穀粒を排出する作業など、各種の作業条件に応じて種々の用い方を選択することができるという利点がある。
【００１２】
〔解決手段４〕
本発明のコンバインにおける第４の解決手段は、請求項４の記載のように、縦送り筒の上下軸心周りでの穀粒搬出筒の水平方向における回動範囲は、前記搭乗運転部の存在領域を含む自走機体上の位置と、その搭乗運転部が位置する側の自走機体の横外方領域とを含む２／３周程度である点に特徴がある。
【００１３】
〔作用及び効果〕
上記のように、解決手段４にかかる本発明のコンバインでは、前記解決手段２又は３にかかる発明と同等な作用効果の他に、次の作用効果をも奏する。
すなわち、解決手段４にかかる本発明のコンバインでは、自走機体上における穀粒搬出筒の格納位置が搭乗運転部の存在領域を越えて自走機体上に設定されていても、その格納位置から搭乗運転部が位置する側の自走機体の横外方領域にわたって穀粒搬出筒を回動操作することができる。
そして、その穀粒搬出筒の回動範囲が、前記記搭乗運転部の存在領域を含む自走機体上の位置と、その搭乗運転部が位置する側の自走機体の横外方領域とを含む２／３周程度に制限されているので、格納位置から作業位置への穀粒搬出筒の回動は支障なく行えながら、穀粒搬出筒の無制限な回動を抑止して、残りの１／３周程度の範囲に存在する自走機体上の他装置や、他物との接触を阻止する上で有効である。
【００１４】
〔解決手段５〕
本発明のコンバインにおける第５の解決手段は、請求項５の記載のように、ガイド体は、穀粒搬出筒の回動中心と吐出口との間で、その穀粒搬出筒の長手方向における回動中心側寄りの位置を案内するように、縦送り筒近くの自走機体上に設けてある点に特徴がある。
【００１５】
〔作用及び効果〕
上記のように、解決手段５にかかる本発明のコンバインでは、前記解決手段１〜４にかかる発明と同等な作用効果の他に、次の作用効果をも奏する。
すなわち、ガイド体が穀粒搬出筒の長手方向における回動中心側寄りの位置を案内するように縦送り筒近くに設けられているので、ガイド体を穀粒搬出筒の長手方向における吐出口側寄りの位置に設けた場合に比べて、ガイド体を比較的小型に構成することができる利点がある。
【００１６】
〔解決手段６〕
本発明のコンバインにおける第６の解決手段は、請求項６の記載のように、ガイド体は、グレンタンクの前部側の天井部よりも低く形成された後部側の天井部に設けてある点に特徴がある。
【００１７】
〔作用及び効果〕
上記のように、解決手段６にかかる本発明のコンバインでは、前記解決手段１〜５にかかる発明と同等な作用効果の他に、次の作用効果をも奏する。
すなわち、ガイド体が設けられる後部側の天井部は、グレンタンクの前部側の天井部よりも、回動中心に近い位置であり、かつ、穀粒搬出筒がグレンタンクの上側に位置している状態では、穀粒搬出筒が自走機体上に位置しているので、水平よりも下方に向ける必要はない。したがって、低く形成されている後部側の天井部にガイド体を設けても、穀粒搬出筒の上下揺動支点を低くしておけば、後部側の天井部よりも高い前部側の天井部や、さらに前方側の高い部材を、ガイド体の案内によって越えさせることができる。
これによって、ガイド体自体をコンパクトな構造によって構成することができる利点がある。
【００１８】
〔解決手段７〕
本発明のコンバインにおける第７の解決手段は、請求項７の記載のように、ガイド体は、グレンタンクの上部に形成されたメンテナンス用開口を閉塞する蓋体の上面側に設けてある点に特徴がある。
【００１９】
〔作用及び効果〕
上記のように、解決手段７にかかる本発明のコンバインでは、前記解決手段１〜６にかかる発明と同等な作用効果の他に、次の作用効果をも奏する。
すなわち、ガイド体が、グレンタンクの上部に形成されたメンテナンス用開口を閉塞する蓋体の上面側に設けてあるので、このガイド体を取っ手代わりに利用して蓋体の開閉を行うことができる。
したがって、ガイド体と蓋体の取っ手との兼用によって、さらに構造の簡素化を図り得る利点がある。
【００２０】
〔解決手段８〕
本発明のコンバインにおける第８の解決手段は、請求項８の記載のように、ガイド体は、穀粒搬出筒の水平方向での回動範囲内における自走機体上の領域に設けられたプレクリーナよりも上方側に穀粒搬出筒を案内するようにガイド範囲を設定してある点に特徴がある。
【００２１】
〔作用及び効果〕
上記のように、解決手段８にかかる本発明のコンバインでは、前記解決手段１〜７にかかる発明と同等な作用効果の他に、次の作用効果をも奏する。
すなわち、ガイド体による上方側への案内高さが、プレクリーナよりも上方に穀粒搬出筒を案内するように設定されているので、プレクリーナが搭乗運転部近くで運転座席の後方側など、比較的目視し難い位置に存在する場合にも確実に穀粒搬出筒とプレクリーナとの接触を回避することができる。
【００２２】
〔解決手段９〕
本発明のコンバインにおける第９の解決手段は、請求項９の記載のように、搭乗運転部の運転座席を、エンジンを覆う原動部カバーの上側に配置し、前記原動部カバー内に供給する外気を導入するための吸気ダクトを前記運転座席よりも機体外端側箇所に設け、その吸気ダクトの上面側に、穀粒搬出筒の水平方向回動ならびに上下方向揺動を行うためのスイッチ操作具を設けてある点に特徴がある。
【００２３】
〔作用及び効果〕
上記のように、解決手段９にかかる本発明のコンバインでは、前記解決手段２〜８にかかる発明と同等な作用効果の他に、次の作用効果をも奏する。
すなわち、運転座席よりも機体外端側箇所に設けられた吸気ダクトの上面側に、穀粒搬出筒の水平方向回動ならびに上下方向揺動を行うためのスイッチ操作具を設けたので、原動部カバー内に供給する外気を導入するための吸気ダクトをスイッチ操作具の取付手段として利用することができる。これによって、スイッチ操作具取付構造の簡素化を図り得る利点がある。
また、運転座席よりも機体外端側箇所に設けられた吸気ダクトの上面側は、自走機体に搭乗していない地面上の作業者によってもスイッチ操作具の操作が可能な位置であり、したがって、操縦者が地面上に降りて穀粒搬出筒の位置を調節する場合に便利に用いることのできる利点もある。
【００２４】
〔解決手段１０〕
本発明のコンバインにおける第１０の解決手段は、請求項１０の記載のように、スイッチ操作具は、穀粒搬出筒の水平方向回動操作を２位置の択一的な揺動切換で行うシーソースイッチと、穀粒搬出筒の上下方向揺動操作を２位置の択一的な揺動切換で行うシーソースイッチとの組み合わせで構成してある点に特徴がある。
【００２５】
〔作用及び効果〕
上記のように、解決手段１０にかかる本発明のコンバインでは、前記解決手段９にかかる発明と同等な作用効果の他に、次の作用効果をも奏する。
すなわち、スイッチ操作具として、穀粒搬出筒の水平方向回動操作も、穀粒搬出筒の上下方向揺動操作も、２位置の択一的な揺動切換で行うシーソースイッチの組み合わせで行うようにしたものであるから、穀粒搬出筒の水平方向回動操作用か上下方向揺動操作用かの何れかを選択して、単純な２位置の択一的な揺動切換によって所期の操作を行うことができ、誤操作を生じる可能性の少ない状態で穀粒搬出作業を行うことができる。
【００２６】
〔解決手段１１〕
本発明のコンバインにおける第１１の解決手段は、請求項１１の記載のように、グレンタンク内に貯留されている穀粒を搬出するための穀粒搬出用クラッチの操作具を、運転座席よりも機体外側寄り箇所に設けてある点に特徴がある。
【００２７】
〔作用及び効果〕
上記のように、解決手段１１にかかる本発明のコンバインでは、前記解決手段２〜１０にかかる発明と同等な作用効果の他に、次の作用効果をも奏する。
すなわち、穀粒搬出クラッチの操作具を、運転座席よりも機体外側寄り箇所に設けてあるので、自走機体に搭乗しない状態で地面上の作業者が、前記穀粒搬出クラッチの操作具を握って操作し易いものであり、運転座席に搭座した状態でも、地面上に位置した状態でも、操作可能な穀粒搬出クラッチを得られる利点がある。
【００２８】
〔解決手段１２〕
本発明のコンバインにおける第１２の解決手段は、請求項１２の記載のように、グレンタンク内に設けた底スクリューと、縦送り筒内に設けた縦スクリューと、穀粒搬出筒内の搬送スクリューとを、それぞれのスクリューを内装するスクリュー筒の外側で連動する連動機構を設けてある点に特徴がある。
【００２９】
〔作用及び効果〕
上記のように、解決手段１２にかかる本発明のコンバインでは、前記解決手段１〜１１にかかる発明と同等な作用効果の他に、次の作用効果をも奏する。
すなわち、グレンタンク内の底スクリューと、縦送り筒内の縦スクリューと、穀粒搬出筒内の搬送スクリューとを、それぞれのスクリューを内装する筒部分の外側で連動することにより、各スクリュー同士を連動するための連動機構によって筒部分の内部空間を狭められることがないので、搬送される穀粒の流れを、比較的搬送抵抗の少ないスムースな状態に維持し易いという利点がある。
【００３０】
〔解決手段１３〕
本発明のコンバインにおける第１３の解決手段は、請求項１３の記載のように、底スクリューと縦スクリューとを連動する連動機構がベルト伝動機構により構成されている点に特徴がある。
【００３１】
〔作用及び効果〕
上記のように、解決手段１３にかかる本発明のコンバインでは、前記解決手段１２にかかる発明と同等な作用効果の他に、次の作用効果をも奏する。
すなわち、底スクリューや穀粒搬出筒内の搬送スクリューに比べると、比較的搬送抵抗の大きいものである縦スクリュー部分において、詰まり発生などのさらに大きな搬送抵抗が生じた場合には、底スクリューと縦スクリューとの間に設けたベルト伝動機構部分でのスリップが生じることになるので、各スクリュー部分での損傷を回避し得る利点がある。
【００３２】
〔解決手段１４〕
本発明のコンバインにおける第１４の解決手段は、請求項１４の記載のように、グレンタンクを上下向き軸心周りで機体外側に回動操作可能に構成してある点に特徴がある。
【００３３】
〔作用及び効果〕
上記のように、解決手段１４にかかる本発明のコンバインでは、前記解決手段１〜１３にかかる発明と同等な作用効果の他に、次の作用効果をも奏する。
すなわち、グレンタンクを上下方向軸心周りで機体外側に回動操作することにより、グレンタンク部分によって機体外方側が覆われていた自走機体上の各伝動構造などを外部へ露呈させることができ、その伝動機構等の保守点検を行い易くなる利点がある。
【発明を実施するための最良の形態】
【００３４】
以下、本発明の実施の形態を図面の記載に基づいて説明する。
【００３５】
〔全体構成〕
図１及び図２に、本発明でいうコンバインの一例としての普通型コンバインが示されている。
この普通型コンバインは、機体フレーム１０を左右一対のクローラ走行装置１１，１１上に搭載して自走機体１を構成し、自走機体１上に、運転座席２０とその運転座席２０の上方を覆うキャノピ２１とが装備された搭乗運転部２と、前記運転座席２０の下方に位置するエンジン１２と、脱穀対象の被処理物を投入して脱穀及び選別処理する脱穀装置１３と、脱穀された被処理物を回収するための穀粒回収装置３とを搭載設置してある。
そして、自走機体１の機体前方側には、刈り取り対象茎稈を収穫するための刈取前処理装置１４のフィーダ１５を、その後端部の横軸心（図外）周りで上下揺動自在に連結してあり、これらの各装置の組み合わせによって、刈り取られた脱穀処理対象物の全稈を脱穀処理する普通型コンバインを構成してある。
【００３６】
〔搭乗運転部〕
前記搭乗運転部２では、前記エンジン１２の上方側を覆うように箱状に形成された原動部カバー２２の上側に前記運転座席２０を配備してあり、前記原動部カバー２２が座席支持台を兼用するように構成されている。
運転座席２０の前方側には、機体フレーム１０上の運転部フロアー２３の前端部から立設された操縦搭２４を備え、その操縦搭２４の左側部から後方の原動部カバー２２にわたって操縦ボックス２５を設けてあり、前記運転座席２０の右側部には、前記エンジン１２側に機体の横外側部上方から防塵網２６ａを介して外気を取り込むための吸気ダクト２６を、前記原動部カバー２２に対して一体に連設してある。
【００３７】
前記操縦搭２４の上面側には、機体進行方向を制御する操向操作レバー２７を設けてあり、前記操縦ボックス２５の上面側には機体走行速度を制御する変速レバー２８や、刈取前処理装置１４の駆動を断続する刈取クラッチレバー２９を設けてある。また、その他の各種計器類が前記操搭搭２４及び操縦ボックス２５の上面側に形成される操作パネル面に装備されている。
【００３８】
前記吸気ダクト２６の前下がり姿勢の上面側には、図１及び図１３に示すように、前記穀粒回収装置３を構成するグレンタンク４と穀粒搬出装置５のうちの穀粒搬出装置５に対して、その穀粒搬出位置を選択操作するためのスイッチ操作具３２を設けてある。
また、前記吸気ダクト２６の機体内方側の側面と運転座席２０との間には、前記穀粒回収装置３のグレンタンク４に貯留されている穀粒を外部へ取り出すための、後述する穀粒搬出装置５を駆動する状態と駆動停止する状態とに切換操作可能な穀粒搬出用クラッチ８７の操作具としての穀粒搬出クラッチレバー３１を設けてある。
これらのスイッチ操作具３２及び穀粒搬出クラッチレバー３１の操作については後ほど詳述する。
【００３９】
前記運転座席２０の後方側には、エンジン１２に対する吸気用のエアクリーナ１７を設けてあり、そのエアクリーナ１７には、上下に長い円筒状の吸気管１７ａが接続されており、この吸気管１７ａの上部にプレクリーナ１８が接続されている。吸気管１７ａは、グレンタンク４の内側面に沿って上方に延出されて、その上下方向の中間部がグレンタンク４の内側の面に固定されている。これにより、比較的塵埃の少ない機体上部箇所の外気がプレクリーナ１８及びエアクリーナ１７を介して浄化されてエンジン１２の燃焼用空気として供給される。
【００４０】
上記のように構成された運転座席２０の上方側には、グレンタンク４の前面側に沿って立設された支柱１６を介して、前記運転座席２０の上方を覆うキャノピ２１を備えている。
【００４１】
〔脱穀部〕
前記脱穀装置１３は、扱室に供給された刈取り穀稈を走行機体前後向きの軸芯周りに回動する軸流型の扱胴（図外）によって脱穀処理するように構成してあり、その脱穀された被処理物を扱胴の下方に配備された選別処理装置（図外）で脱穀処理物を脱穀粒と藁屑とに選別処理し、脱穀粒を前記穀粒回収装置３のグレンタンク４に供給するように構成してある。前記グレンタンク４に貯留される対象の脱穀処理物（脱穀粒）以外の藁屑などは、自走機体１の後方に落下放出するように構成してある。
【００４２】
〔穀粒回収装置の構成〕
前記穀粒回収装置３は、脱穀粒を貯留するためのグレンタンク４と、そのグレンタンク４内に貯留されている穀粒を外部へ取り出すための穀粒搬出装置５とを備えて構成されている。
【００４３】
〔グレンタンク関係〕
図３及び図４に示すように、前記グレンタンク４は、タンク本体４０の下部に貯留した穀粒を後方に向けて送り出す底スクリュー４１を備えて構成されている。
前記タンク本体４０は、前後方向視で、その下部が下窄まり状に形成され、この下窄まり部４０ａの下端内部には、前記底スクリュー４１が前後水平に支架されている。グレンタンク４における下窄まり部４０ａは、貯留した穀粒を残すことなく底スクリュー４１に導くよう、穀粒の流下安息角以上の傾斜角度が与えられるとともに、下窄まり部４０ａの下端部がタンク横幅中心よりも大きく横外方に偏って配置されている。
また、図２及び図５，６に示すように、前記グレンタンク４の下部後端には、前記底スクリュー４１における支軸４１ａの後端部を支承する搬出ケース４２が連結されるとともに、機体フレーム１０から機体横外方に突設された支持部１０ａに、前記搬出ケース４２の下端ボス部４２ａが回動可能に嵌合支持されて、機体フレーム１０に対してグレンタンク４が上下向き軸心ｙ回りで旋回可能に支持されている。
【００４４】
前記タンク本体４０の天井部４３は、自走機体１上に位置しているタンク本体４０の前部側の天井部４３ａよりも後部側の天井部４３ｂが低くなるように形成されている。そして、低く形成された後部側の天井部４３ｂに設けたメンテナンス用開口４３ｃを蓋体４４で閉塞するように構成してあるとともに、その蓋体４４に、穀粒搬出装置５の穀粒搬出筒７０を案内するためのガイド体４５を設け、このガイド体４５を手で持つことによりメンテナンス用開口４３ｃの開閉操作が行い易くなるように構成してある。
【００４５】
前記ガイド体４５は、前記穀粒搬出装置５の穀粒搬出筒７０が自走機体１の上方を移動するに伴って、水平よりも下向き姿勢にある穀粒搬出筒７０を上方側へ持ち上げ案内するように機能させるためのものであり、後述する上下向き軸心ｙ回りで旋回する穀粒搬出筒７０が、自走機体１上を移動する際に、後述する横向き軸心ｘ回りで上下揺動して、比較的機体上の高さが高い搭乗運転部２のキャノピ２１やプレクリーナ１８を交わして、機体上の格納用支持台３０に載置させるようにするためのものである。
このガイド体４５による案内作用は、穀粒搬出筒７０の前記上下向き軸心ｙ回りの回動範囲で、前記格納用支持台３０が存在する位置から、搭乗運転部２が存在する側の機体横端部との間で機能するものであり、これ以外の範囲では、ガイド体４５による案内作用は生じない。
【００４６】
〔穀粒搬出装置関係〕
前記グレンタンク４の後方には、底スクリュー４１によって送出された穀粒を揚送した後に、横搬送して機外に搬出するスクリュー式の穀粒搬出装置５が装備されている。この穀粒搬出装置５は、グレンタンク４の後面下端に連通接続されたスクリュー式の縦搬送機構６と、この縦搬送機構６の上端に連通接続されたスクリュー式の横搬送機構７とから構成されており、穀粒搬出装置５全体が、縦搬送機構６のスクリュー軸心と同芯で、かつ、前記搬出ケース４２の下端ボス部４２ａの軸心である前記上下向き軸心ｙを中心にして、前記搬出ケース４２に対して旋回可能となっている。
【００４７】
前記縦搬送機構６は、前記上下向き軸心ｙと同心位置に設けられる縦スクリュー６１と、その縦スクリュー６１を内装する縦送り筒６０との組み合わせで構成してある。
前記縦送り筒６０は、その下端側が前記搬出ケース４２の上端側に接続されているとともに、その接続箇所の少し上部の外周にギヤ部６０ａを備え、そのギヤ部６０ａに咬合するピニオン６２を備えた旋回用電動モータ６３によって前記上下向き軸心ｙ回りで旋回駆動されるように構成してある。前記旋回用電動モータ６３は、前記搬出ケース４２側に固定されている。
【００４８】
前記縦スクリュー６１の下端側は、前記搬出ケース４２の下端側の軸受け部４２ｂで回動自在に支持されており、その軸受け部４２ｂよりも下方側に突出する部位の軸部に入力用ベベルギヤ６１ａを装着している。
そして、前記入力用ベベルギヤ６１ａに対しては、その入力用ベベルギヤ６１ａを介して前記底スクリュー４１の動力を縦スクリュー６１に伝達するための連動機構５０が連係されている。この連動機構５０は、前記入力用ベベルギヤ６１ａと咬合するベベルギヤ部５１ａを一端側に備えるとともに、他端側に入力プーリ５１ｂが装着されている伝動軸５１と、その伝動軸５１の前記入力プーリ５１ｂと前記底スクリュー４１の軸端に設けられた出力プーリー４１ｂとの間に掛張した伝動ベルト５２とで構成してあり、この連動機構５０は、前記底スクリュー４１及び縦スクリュー６１が設けられた穀粒搬送用空間ｓの外側に配設されている。
つまり、連動機構５０を構成する前記入力プーリ５１ｂと出力プーリー４１ｂ、及び伝動ベルト５２は搬出ケース４２の外側に露出した状態に配設してあり、前記伝動軸５１は搬出ケース４２の内部ではあるが、前記底スクリュー４１及び縦スクリュー６１が設けられた穀粒搬送用空間ｓに対しては外側に配設されている。したがって、穀粒を通過させる穀粒搬送用空間ｓが連動機構５０の存在によって狭められることはない。
【００４９】
図４乃至図６に示すように、前記伝動ベルト５２は、揺動アーム５３の先端側に装着されたテンションプーリ５４と、前記揺動アーム５３を前記テンションプーリ５４がベルト押圧方向に向かうように引っ張り付勢する付勢バネ５５とによって、常時張り側に付勢してある。
【００５０】
前記縦送り筒６０の上端側には、図４及び図７乃至図９に示すように、上端ケース６７が設けられ、この上端ケース６７内に、縦スクリュー６１の上端側にスプライン嵌合する上端スプロケット６１ｂのボス部がベアリング６０ｂで軸支されているとともに、その上端スプロケット６１ｂと平行な軸心を有した縦向き中間軸６４と、その縦向き中間軸６４に対してベベルギヤ機構によって連動連結される横向き中間軸６５とが装備されている。
前記縦スクリュー６１の上端側にスプライン嵌合する上端スプロット６１ｂと、前記縦向き中間軸６４の上端側に設けられたスプロケット６４ａとは伝動チェーン６６で連結してあり、前記横向き中間軸６５の前記ベベルギヤ機構が設けられた側とは反対側の端部は、縦送り筒６０から横外方へ突出した状態で設けられ、その突出端に出力用スプロケット６５ａが装着されており、この出力用スプロケット６５ａを介して、縦搬送機構６の動力が横搬送機構７に伝達されるように構成されている。
【００５１】
前記横搬送機構７は、縦送り筒６０内を揚送された穀粒を受け取って外部へ搬出するための穀粒搬出筒７０と、その穀粒搬出筒７０内に設けられた搬送スクリュー７１との組み合わせで構成してある。
前記穀粒搬出筒７０は、前記縦送り筒６０の上端側に取り付けられる中継ケース部７２と、その中継ケース部７２に対して穀粒搬出方向の下手側に接続された横送り筒部７３とを備えて構成してあり、その穀粒搬出筒７０内部に搬送スクリュー７１を装備してある。
【００５２】
中継ケース部７２では、前記縦送り筒６０から横外方へ突出した状態で設けられた出力用スプロケット６５ａから伝達される動力を受ける中継用スプロケット７４ａを備える中継軸７４と、これらの出力用スプロケット６５ａと中継用スプロケット７４ａとの間に掛張される伝動チェーン７５と、前記中継軸７４の前記中継用スプロケット７４ａが設けられた側とは反対側の端部に設けられた中継用ベベルギヤ７４ｂと、その中継用ベベルギヤ７４ｂと咬合する入力用ベベルギヤ７１ａを軸端に備えた搬送スクリュー７１の始端側を収容するように構成されている。
【００５３】
そして、前記縦送り筒６０の上端部に上端ケース６７を備え、この上端ケース６７に、前記横向き中間軸６５を回動自在に支承するボールベアリング６７ａを備えた横支持筒部６７ａを備えるとともに、前記縦送り筒６０を挟んで前記横支持筒部６７ａが設けられた側とは反対側箇所に、縦送り筒６０の上端側から穀粒を送り出すための連通口を備えた連通用筒部６７ｂを備えている。
前記中継ケース部７２では、前記横支持筒部６７ａに対して外嵌する支持部７６及び前記連通用筒部６７ｂに対して外嵌する導入口筒部７７を形成してある。この導入口筒部７７と前記支持筒部７６とは、縦スクリュー６１の上下向き軸心ｙと直交する前記横向き中間軸６５の軸心と同心である横向き軸心ｘを筒中心線とするものであり、前記横向き軸心ｘが穀粒搬出筒７０の上下揺動軸心となるように構成されている。
【００５４】
図７及び図９に示すように、前記中継ケース部７２では、前記支持筒部７６と導入口筒部７７とのそれぞれの外周側の一部から穀粒搬出筒７０の延出方向に沿ってアーム部材７８，７８が突設してあり、そのアーム部材７８，７８の突出端同士を接続する状態に棒材７９を設けてある。
そして、前記縦送り筒６０の上端部で前記アーム部材７８，７８の存在箇所よりも下方位置に、シリンダ取付用ブラケット６８を突設してあり、そのシリンダ取付用ブラケット６８の先端側に設けた支持ピン６９と前記アーム部材７８，７８の先端側の棒材７９とにわたって前記横搬送機構７の上下位置調節用の油圧シリンダ５６が装着されている。
【００５５】
前記穀粒搬出筒７０の横送り筒部７３は、中継ケース部７２の筒端部に設けられたフランジ部７２ａに対して接続されるフランジ部７３ａを一端側に備え、他端側に穀粒を吐出するための吐出口部７３ｂを備え、かつ、その横送り筒部７３の内部には、前記中継ケース部７２の内部から一連に設けられている搬送スクリュー７１が装備されている。
【００５６】
〔動力伝達系の構成〕
図１０は、エンジン１２の動力伝達系統を示す線図であり、横向きに搭載配備された前記エンジン１２には、機体内方に向けて突出する主出力軸１２Ａと、機体外方に向けて突出する補機駆動用の副出力軸１２Ｂとが備えられており、主出力軸１２Ａから取り出された動力でクローラ走行装置１１、刈取前処理装置１４、および、脱穀装置１３が駆動される。
【００５７】
外向きの副出力軸１２Ｂには、２本掛けの出力プーリ８０が備えられており、この出力プーリ８０に巻回された伝動ベルト８１で、エンジン冷却用のウオーターポンプ８２、ラジエータ冷却ファン８３、発電機８４が駆動されるとともに、前記出力プーリ８０に巻回された別の伝動ベルト８５が入力プーリ８６に巻回されて底スクリュー４１および穀粒搬出装置５への動力伝達系が構成されている。
【００５８】
底スクリュー４１へのベルト式の動力伝達系には穀粒搬出用クラッチ８７が備えられている。この穀粒搬出用クラッチ８７は、図１及び図１３に示すように、テンションローラ８８を前記伝動ベルト８５に押圧作用させるテンションクラッチに構成されており、後述するよう、前記搭乗運転部２からの穀粒搬出用クラッチ８７を、クラッチ操作具の一例である穀粒搬出用レバー３１の操作で入り切り操作が行われる。
【００５９】
上記のようしてエンジン動力を受ける前記入力プーリ８６の中心には中間伝動軸８９が軸心方向にスライド可能にスプライン内嵌されている。中間伝動軸８９は、前記入力ケース４６に支架された前記入力軸４７と同芯に突合せ配置されるとともに、外嵌装着したバネ８９ａによって中間伝動軸８９が入力軸４７に向けてスライド付勢されている。中間伝動軸８９と入力軸４７とは、その突合せ対向部位において噛み合い式の断続クラッチ４８を介して連動連結されている。
【００６０】
前記穀粒搬出装置５では、底スクリュー４１の後端部で、底スクリュー４１のグレンタンク４の外側に備えた出力プーリ４１ｂから、伝動軸５１の後端部に備えた入力プーリ５１ｂに対して伝動ベルト５２を介して駆動力を伝達するように構成してあり、その伝動軸５１から縦スクリュー６１に対してベベルギヤ機構による動力伝達が行われるように構成してある。
【００６１】
前記縦スクリュー６１と穀粒搬出筒７０内の搬送スクリュー７１とは、次のようにして連動連結されている。
すなわち、縦スクリュー６１の上端部に設けた上端スプロケット６１ｂと、縦向き中間軸６４の上部に設けたスプロケット６４ａとを伝動チェーン６６で連結してあり、前記縦向き中間軸６４の下端のベベルギヤ６４ｂと横向き中間軸６５の一端に備えたベベルギヤ６５ｂとを咬合させ、その横向き中間軸６５の他端に形成したスプロケット６５ａと、中継軸７４の一端に備えた中継用スプロケット７４ａとにわたって伝動チェーン７５を掛張し、前記中継軸７４の他端に設けた中継用ベベルギヤ７４ｂと、前記搬送スクリュー７１の穀粒搬出筒７０の外側に設けた入力用ベベルギヤ７１ａとを咬合させて、エンジン動力が穀粒搬出筒７０内の搬送スクリュー７１に伝えられるように構成してある。
【００６２】
〔穀粒搬出装置の作動に関する構成〕
穀粒搬出装置５の前記上下向き軸心ｙ回りでの旋回動作、及び横向き軸心ｘ回りでの上下揺動は次のようにして行われる。
【００６３】
前記吸気ダクト２６の前下がり姿勢の上面側に設けたスイッチ操作具３２は、図１３に示すように、上方側に設けた第１操作スイッチ３２ａと、下方側に設けた第２操作スイッチ３２ｂとの組み合わせで構成され、第１操作スイッチ３２ａが、穀粒搬出筒７０の水平方向における旋回方向の左右何れかを選択操作するシーソースイッチであり、第２操作スイッチ３２ｂが、穀粒搬出筒７０の揺動方向を上下何れかに選択するシーソースイッチである。
【００６４】
前記第１操作スイッチ３２ａは、中立復帰された正逆押し込み操作型に構成されて横向き姿勢で配備されており、左右いずれかの押し込み部を押し込み操作している間だけ押し込んだ方向に横搬送機構７を旋回作動させ、押し込みを解除すると旋回が停止されるようになっている。前記第２操作スイッチ３２ｂは、中立復帰された正逆押し込み操作型に構成されて縦向き姿勢で配備されており、上下いずれかの押し込み部を押し込み操作している間だけ押し込んだ方向に横搬送機構７を上下揺動作動させ、押し込みを解除すると上下動が停止されるようになっている。
【００６５】
前記第１操作スイッチ３２ａ及び第２操作スイッチ３２ｂの配線は、吸気ダクト２６の内部を通して図示されていない制御装置に接続され、前記第１操作スイッチ３２ａの操作に基づいて制御装置が旋回用電動モータ６３に作動指令を出力し、前記第２操作スイッチ３２ｂの操作に基づいて前記油圧シリンダ５６を伸縮操作する指令を制御用の電磁弁（図外）に対して出力するように構成されている。
これらの第１操作スイッチ３２ａ及び第２操作スイッチ３２ｂは、運転座席２０よりも機体外側に位置するように配置されているので、運転座席２０に着座して操作できるとともに、自走機体１から降りて地上からでも操作可能となっている。
【００６６】
前記第１操作スイッチ３２ａによる穀粒搬出筒の前記横向き軸心ｘ回りでの上下揺動範囲は、油圧シリンダ５６の伸縮長さによって決定され、かつ、その上下揺動範囲の下限位置及び上限位置は、縦向き筒６０に設けたシリンダ取付用ブラケット６８との連結点の位置を変更することによって変更可能に構成されている。
このブラケット６８には、上下２箇所の連結孔６８ａ，６８ｂが形成してあり、上側の連結孔６８ａに油圧シリンダ５６の下端側を連結した状態では、図１１に実線で示すように、前記上下揺動範囲の下限位置が、ほぼ水平位置であり、穀粒搬出筒７０は水平位置とそれよりも上方の範囲で揺動操作可能である。
前記油圧シリンダ５６の下端が下側の連結孔６８ｂに連結されると、図１２に実線で示すように、前記上下揺動範囲の下限位置が、横向き軸心ｘよりも下向きに設定され、穀粒搬出筒７０は横向き軸心ｘから下向きに延出された姿勢と、それよりも上方の範囲で揺動操作可能であり、この状態では、地面上において袋詰め作業を行う場合などに便利に用いることができる。
【００６７】
前記第２操作スイッチ３２ｂによる穀粒搬出筒７０の前記上下向き軸心ｙ回りでの旋回範囲は、旋回用電動モータ６３で駆動されるピニオン６２の回転角を検出するポテンショメータなどの検出器（図外）を備え、縦送り筒６０が所定角度旋回したら、旋回用電動モータ６３による旋回駆動を断つように構成してあり、その縦送り筒６０の旋回範囲は、前記穀粒搬出筒７０が格納用支持台３０に支持された格納位置から、搭乗運転部２が存在する側の機体横側外方で、前記格納位置から上下向き軸心ｙ回りでの約２４０度に設定されている。
【００６８】
前記ガイド体４５が穀粒搬出筒７０に対して持ち上げ案内作用を行うのは、穀粒搬出筒７０が下向き姿勢のままで格納位置側操作された場合に、その穀粒搬出筒７０の前記上下向き軸心ｙ近くの箇所に接触して、穀粒搬出筒７０持ち上げることにより、キャノピ２１などとの接触を回避するためのものであり、前記第１操作スイッチ３２ａ及び第２操作スイッチ３２ｂを操作して、穀粒搬出筒７０がキャノピ２１などと接触する状態を回避するように移動させれば、ガイド体４５による案内作用は必要ないので行なわれない。
【００６９】
前記吸気ダクト２６の機体内方側の側面と運転座席２０との間に設けられた穀粒搬出クラッチレバー３１は、前記底スクリュー４１へのベルト式の動力伝達系に設けられた穀粒搬出用クラッチ８７と操作ワイヤ８１を介して連動連結されているので、穀粒搬出クラッチレバー３１を前方下方側へ押し下げ操作して、テンションローラ７８を伝動ベルト８５から離間させると底スクリュー４１への動力伝達が断たれて、穀粒の排出が停止される。逆に、前記穀粒搬出クラッチレバー３１を後方上方側へ引き上げ操作して、テンションローラ７８を伝動ベルト８５に押しつけ付勢すると底スクリュー４１が駆動されて、穀粒の排出が開始される。
この穀粒搬出クラッチレバー３１の操作も、運転座席２０に着座して操作できるとともに、地上からでも操作可能となっている。
【００７０】
〔別実施形態の１〕
上述の最良の実施形態では、穀粒搬出筒７０の上下揺動範囲の全体を位置変更するように構成したものを示したが、穀粒搬出筒７０の上下揺動範囲の変更は、これに限らず、上下揺動範囲の下限側のみを位置変更するようにしたもの、または、上端側のみを位置変更するようにしたもの、あるいは、上下揺動範囲の幅を変更して上限及び下限の両方を位置変更するようにしてもよい。
【００７１】
〔別実施形態の２〕
また最良の実施形態では、搭乗運転部２にキャノピ２１を備えた構造のコンバインを示したが、キャノピ２１を備えていない構造のものでもよい。この場合、搭乗運転部２及びその近辺のプレフィルタ１８などを迂回するようにガイド体４５を構成しておくのが望ましい。
【００７２】
〔別実施形態の３〕
コンバインの形態としては普通型コンバインに限らす、自脱型コンバインに適用しても良いことはもちろんである。
【図面の簡単な説明】
【００７３】
【図１】普通型コンバイン全体の右側面図
【図２】普通型コンバイン全体の平面図
【図３】穀粒回収装置を示す側面図
【図４】穀粒回収装置を示す背面図
【図５】底スクリューと縦スクリューとの連動機構部分を示す前後方向断面図
【図６】底スクリューと縦スクリューとの連動機構部分を示す左右方向断面図
【図７】縦スクリューと搬送スクリューとの連動機構部分を示す水平方向断面図
【図８】図７におけるVIII-VIII線断面図
【図９】縦送り筒と穀粒搬出筒との接続部を示す側面図
【図１０】伝動系統を示す線図
【図１１】穀粒搬出筒の上下揺動範囲を示す背面図
【図１２】穀粒搬出筒の上下揺動範囲を示す背面図
【図１３】穀粒回収装置の操作部を示す斜視図
【符号の説明】
【００７４】
１            自走機体
２            搭乗運転部
３            穀粒回収装置
４            グレンタンク
５            穀粒搬出装置
６            縦搬送機構
７            横搬送機構
２０          運転座席
２１          キャノピ
２６          吸気ダクト
３１          穀粒搬出クラッチレバー
３２          スイッチ操作具
３２ａ        第１操作スイッチ
３２ｂ        第２操作スイッチ
４１          底スクリュー
４３          天井部
４４          蓋体
４５          ガイド体
５０          連動機構
６０          縦送り筒
６１          縦スクリュー
７０          穀粒搬出筒
７１          搬送スクリュー
ｘ            横向き軸心
ｙ            上下向き軸心
【図１】
2010051287.tif 000003
【図２】
2010051287.tif 000004
【図３】
2010051287.tif 000005
【図４】
2010051287.tif 000006
【図５】
2010051287.tif 000007
【図６】
2010051287.tif 000008
【図７】
2010051287.tif 000009
【図８】
2010051287.tif 000010
【図９】
2010051287.tif 000011
【図１０】
2010051287.tif 000012
【図１１】
2010051287.tif 000013
【図１２】
2010051287.tif 000014
【図１３】
2010051287.tif 000015